(57)【要約】【課題】遊技者がファール球を容易に打ち出して受け皿に残ったパチンコ球を確実に回収するパチンコ機を提供する。【解決手段】操作ハンドルのファールボタンが押下されているとき、発射制御装置は、球詰まりの有無に応じて強さＦと時間間隔Ｔを設定する。発射制御装置は、打ち出し強さＦに応じた電圧でロータリーソレノイドへと給電し、パチンコ球を打ち出す。打ち出されたパチンコ球は遊技領域へ達せず、案内通路の途中で落下してファール球回収部材へと入り、受け皿へと回収される。球詰まりが発生している場合、より大きい打ち出し強さで発射するので、パチンコ球は全て受け皿に回収される。【選択図】図６
2009050642.tif 000002
【特許請求の範囲】
【請求項１】
発射操作部の操作量に応じた打ち出し強さで遊技領域へ向けてパチンコ球を打ち出す発射装置を備え、前記発射装置から打ち出されて前記遊技領域へ到達せずに戻ってきたパチンコ球を、賞球の払い出しを受ける受け皿にファール球として回収するパチンコ機において、
前記発射操作部とは別に予備発射操作部を設け、この予備発射操作部の操作時、前記発射操作部の操作量に関わらず、打ち出したパチンコ球がファール球として回収されるように前記発射装置の打ち出し強さを制御することを特徴とするパチンコ機。
【請求項２】
前記予備発射操作部は、前記発射操作部に一体に設けられていることを特徴とする請求項１記載のパチンコ機。
【請求項３】
前記受け皿に貯留されたパチンコ球を筐体外部に排出する排出口と、前記排出口を開閉するシャッタと、前記シャッタを開閉駆動するための駆動手段とを設け、
前記予備発射操作部の操作時、前記駆動手段により前記シャッタを開位置へ移動させ、前記受け皿に貯留されているパチンコ球を筐体外部に排出することを特徴とする請求項１又は２記載のパチンコ機。
【請求項４】
前記予備発射操作部の操作時、前記発射装置を自動的に作動させ、前記ファール球となる打ち出し強さでパチンコ球を打ち出すことを特徴とする請求項１ないし３いずれか記載のパチンコ機。
【請求項５】
前記発射装置に複数のパチンコ球がセットされたことを検知する検知手段を設け、
前記予備発射操作部の操作時に、前記発射装置は、前記検知手段による複数のパチンコ球の検知がないときには前記ファール球となる所定の第一打ち出し強さでパチンコ球を打ち出し、前記検知手段による複数のパチンコ球の検知があるときには前記第一打ち出し強さよりも強く、前記ファール球となる所定の第二打ち出し強さでパチンコ球を打ち出すことを特徴とする請求項１ないし４いずれか記載のパチンコ機。
【請求項６】
前記予備発射操作部の操作時に、前記発射装置は、前記検知手段による複数のパチンコ球の検知がないときには打ち出しの時間間隔を所定の第一打ち出し間隔としてパチンコ球を打ち出し、前記検知手段による複数のパチンコ球の検知があるときには前記時間間隔を前記第一打ち出し間隔よりも長い所定の第二打ち出し間隔としてパチンコ球を打ち出すことを特徴とする請求項５記載のパチンコ機。
【発明の詳細な説明】
【技術分野】
【０００１】
本発明は、パチンコ店などの遊技場に設置されるパチンコ機に関する。
【背景技術】
【０００２】
パチンコ店などの遊技場に設置されるパチンコ機は、パチンコ球が打ち出される遊技領域と、この遊技領域の外周の一部に沿って設けられ、遊技の際に打ち出されたパチンコ球を遊技領域の上部に向けて案内する案内通路が形成された遊技盤が本体部材に組み付けられている。この遊技盤の前面は、本体部材に回動自在に取り付けられたガラス張りの前面扉によって覆われており、遊技者はガラスを介して遊技領域を観察できるようになっている。遊技領域内には、複数の釘、風車やセンター役物等の構造物が設けられる他、入賞チャッカー、始動チャッカー、アタッカなどの入賞装置が設けられた構成となっている。これら入賞装置にパチンコ球が入ると入賞となり、入賞に対する賞球として予め設定された数のパチンコ球が前面にある受け皿に払い出される。パチンコ機の内部には、遊技領域にパチンコ球を１球ずつ打ち出す発射装置と、該発射装置にパチンコ球を送り込む球送込装置とが備えられ、遊技者はパチンコ機の前面の操作ハンドルを操作することで操作ハンドルの回動量に応じた強さでパチンコ球を打ち出すことができる。球送り装置は、受け皿に設けられた球通路を通じてパチンコ球が供給される。
【０００３】
遊技者は貸与されたパチンコ球や賞球を受け皿に貯留して遊技を行うが、受け皿に受け入れられなくなったパチンコ球を貯留する場合に備えて球貯留箱を受け皿の下方に配置する。受け皿の底面にはパチンコ球の落下用開口が形成されており、この落下用開口は遊技者によって開閉操作が行われるスライド式のシャッタによって閉じられている。そして、遊技者は前述したシャッタをスライドさせて落下用開口を開放し、受け皿のパチンコ球を球貯留箱に落下させる、いわゆる球抜き操作を行って受け皿のパチンコ球を球貯留箱に移す。
【０００４】
このような球抜き操作を行うための機構として、例えば特許文献１では、パチンコ機の受け皿の底に開口を形成し、可動排出シュートを開口内に設け、常態では可動排出シュートの側壁により受け皿内のパチンコ球の可動排出シュート内への流入を妨げるようにする一方、可動排出シュートの姿態を操作することにより受け皿に貯留されたパチンコ球を少しずつ手に受けることも、一気に排出することも可能にした球抜き装置が提案されている。
【特許文献１】特開２００４−２５４９５６号公報
【発明の開示】
【発明が解決しようとする課題】
【０００５】
遊技者は、遊技を終了する際にも上述したような球抜き操作を行うが、受け皿から球送り装置に至るまでの送込通路にある少数のパチンコ球まで球抜きすることはできない。これは、送込通路の先に球送込装置があるから、構造上、球抜き機構を設けることが困難だからである。遊技者によっては、このようなパチンコ球を放置することもあるが、回収しようとする場合は、残ったパチンコ球を、操作ハンドルで打ち出し強さを故意に弱く調整し遊技領域に達しないファール球として打ち出す必要がある。ファール球は遊技領域に至らず落下してファール球回収口に入り内部の通路を通って受け皿へと導かれるからである。
【０００６】
しかしながら、この回収方法を行う場合、打ち出し強さの調整を誤るとパチンコ球が遊技領域に達して、そこから流下し、遊技者の意図に反してアウト口から回収されて遊技者に不利益を与えるという問題があった。本発明は、上記課題を解決するためになされたものであり、遊技者がファール球を容易に打ち出して受け皿に残ったパチンコ球を確実に回収するパチンコ機を提供するものである。
【課題を解決するための手段】
【０００７】
上記目的を達成するために、本発明のパチンコ機では、発射操作部の操作量に応じた打ち出し強さで遊技領域へ向けてパチンコ球を打ち出す発射装置を備え、前記発射装置から打ち出されて前記遊技領域へ到達せずに戻ってきたパチンコ球を、賞球の払い出しを受ける受け皿にファール球として回収するようにして、前記発射操作部とは別に予備発射操作部を設け、この予備発射操作部の操作時、前記発射操作部の操作量に関わらず、打ち出したパチンコ球がファール球として回収されるように前記発射装置の打ち出し強さを制御する。ここで、前記予備発射操作部を前記発射操作部に一体に設けてもよい。
【０００８】
また、前記パチンコ機において、前記受け皿に貯留されたパチンコ球を筐体外部に排出する排出口と、前記排出口を開閉するシャッタと、前記シャッタを開閉駆動するための駆動手段とを設け、前記予備発射操作部の操作時、前記駆動手段により前記シャッタを開位置へ移動させ、前記受け皿に貯留されているパチンコ球を筐体外部に排出するようにしてもよい。
【０００９】
さらに、前記パチンコ機において、前記予備発射操作部の操作時、前記発射装置を自動的に作動させ、前記ファール球となる打ち出し強さでパチンコ球を打ち出すようにしてもよい。ここで、前記発射装置に複数のパチンコ球がセットされたことを検知する検知手段を設け、前記予備発射操作部の操作時に、前記発射装置は、前記検知手段による複数のパチンコ球の検知がないときには前記ファール球となる所定の第一打ち出し強さでパチンコ球を打ち出し、前記検知手段による複数のパチンコ球の検知があるときには前記第一打ち出し強さよりも強く、前記ファール球となる所定の第二打ち出し強さでパチンコ球を打ち出すようにしてもよい。これに加えて、前記予備発射操作部の操作時に、前記発射装置は、前記検知手段による複数のパチンコ球の検知がないときには打ち出しの時間間隔を所定の第一打ち出し間隔としてパチンコ球を打ち出し、前記検知手段による複数のパチンコ球の検知があるときには前記時間間隔を前記第一打ち出し間隔よりも長い所定の第二打ち出し間隔としてパチンコ球を打ち出してもよい。
【発明の効果】
【００１０】
本発明のパチンコ機に拠れば、遊技者が予備発射操作部を操作するだけで容易にファール球となる打ち出し強さでパチンコ球を打ち出すことができるから、パチンコ球を受け皿で確実に回収できる。また、発射操作部に予備発射操作部を一体に設けることで、操作の利便性が向上する。さらに、ファール球を打ち出しとともにシャッタを開放して、受け皿に貯留されたパチンコ球を排出することによって、回収の利便性が向上する。ここで、発射装置を自動的に作動させることで、回収の利便性がさらに向上する。
【００１１】
また、発射装置に複数のパチンコ球がセットされているか否かに応じて、打ち出し強さ並びに打ち出しの時間間隔を選択するようにしたから、複数のパチンコ球が打ち出された場合であっても確実にファール球として回収することができる。
【発明を実施するための最良の形態】
【００１２】
図１及び図２のように、本発明に係るパチンコ機２は、基体となる本体基部３に、上部扉４及び下部扉５からなる前面扉６が回動自在となるように、ヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技盤８上に形成された遊技領域８ａを流下するパチンコ球や、遊技領域８ａに設けられた構造物は、上記開口４ａを遮蔽するガラス７を介して視認される。正面視で遊技領域８ａの左側方には、内レール２５と外レール２１と枠部材２７によって画定され、発射装置２０から打ち出されたパチンコ球９２を遊技領域８ａに案内する案内通路２６が設けられている。案内通路２６の下方には、遊技領域８ａに達しなかったパチンコ球９２をファール球として回収するためのファール球回収部材４９が配設されている。なお、遊技盤８の背面には、制御基板等の制御装置が設けられている。
【００１３】
遊技領域８ａには、図示しない障害釘、風車等が設けられる他に、通過チャッカー１５、パチンコ球が入賞する入賞口として、始動入賞チャッカー４１、通常入賞チャッカー４２及びアタッカ１３が設けられている。また、遊技領域８ａの略中央には、センター役物１６と呼ばれる構造物が設けられ、その略中央には図柄表示装置１６ａが設けられている。なお、遊技領域８ａを流下するパチンコ球は、障害釘及び風車等により弾かれながら流下し、上記入賞チャッカーのいずれかへと入賞するか、又は入賞せずにアウト口１７へと導かれる。通常入賞チャッカー４２またはアタッカ１３のいずれかにパチンコ球が入賞すると、入賞チャッカーのそれぞれに予め設定されている個数のパチンコ球が、本体基部３内に設けられた払出装置（図示せず）によって払出口１４から受け皿１２へと賞球として払い出される。
【００１４】
パチンコ機２には、大当たりモードと称される、遊技者が通常状態よりも賞球を獲得し易い遊技状態がある。始動入賞チャッカー４１にパチンコ球が入賞すると、大当たりモードへと移行させるか否かを決定する抽選が行われるとともに、図柄表示装置１６ａを用いた図柄の変動表示及び抽選の結果に応じた演出表示などが行われる。そして、大当たり抽選の結果が当選であるときには、予め定められた図柄の組み合わせが図柄表示装置１６ａで停止表示され、通常状態から大当たりモードへと移行される。大当たりモードとなると、大当たりモード一回につきアタッカ１３が、その奥に設けられている大入賞口（図示せず）を所定時間又はパチンコ球が所定個数入賞するまで開放するように回動され、これが所定回数繰り返される。
【００１５】
下部扉５の前面側には、前方に突出するように受け皿１２が設けられている。受け皿１２は上方に開口し、遊技を開始する際に遊技者に貸し出されるパチンコ球を貯留する他に、遊技領域８ａを流下するパチンコ球が入賞チャッカーのいずれかに入賞したことに応じて払出口１４から払い出される賞球を受け入れて貯留する。貯留されたパチンコ球は下部扉５の背面側に形成された送込通路３２を通じて内部に設けられた球送込装置７０に装填された後、発射装置２０へと供給される。
【００１６】
また、受け皿１２の底面にはシャッタ３１で開閉自在な排出口１８が設けられている（図７参照）。シャッタ３１は、下部扉５に設けられた排出ボタン１１が押下されたことを契機として一定時間開放される。これにより、受け皿１２に貯留されたパチンコ球は、排出口１８の下方に置かれた球貯留箱１９へと排出される。
【００１７】
下部扉５には、回動操作可能な操作ハンドル９（発射操作部）が設けられている。この操作ハンドル９を操作すると、操作量に応じて内部に設けられた打出し用ボリュームの出力値が変化し、発射装置２０によるパチンコ球の打ち出し強さが変化する。なお、この打出し用ボリュームは、可変抵抗器などで構成されている。
【００１８】
また、図３のように、操作ハンドル９には、遊技者が操作をする際の把手となる第一〜第三把手部９ａ〜９ｃが外周に形成されており、さらに第一把手部９ａの隣にはファールボタン１０が設けられている。このファールボタン１０（予備発射操作部）は、遊技者が操作ハンドル９を掴んだまま、親指などで容易に操作ハンドル９の略中央方向に押下することができるように構成されており、押下したまま操作ハンドル９を操作することで発射装置２０の打ち出し強さを、操作量に関わらず、パチンコ球がファールとなる強さにすることができる。なお、操作ハンドル９の内部にはタッチセンサが設けられており、遊技者が操作ハンドル９を掴んでいることをタッチセンサで検知しているときのみ、操作ハンドル９の操作が有効となる。
【００１９】
本体部材３の下部には、発射装置２０が配設されている。また、下部扉５の背面には、球送込装置７０が配設されており受け皿１２に貯留されているパチンコ球を発射装置２０に供給する。この発射装置２０は、上述した操作ハンドル９が操作された際、ファールボタン１０が押下されていなければ、その操作ハンドル９の操作量に応じた打ち出し強さ（以下、Ｆｘと称する。）でパチンコ球９２を遊技領域８ａに向けて打ち出す。一方、ファールボタン１０が押下されていれば、操作量に関わらず、パチンコ球がファールとなる打ち出し強さでパチンコ球９２を遊技領域８ａに向けて打ち出す。
【００２０】
図４に示すように、発射装置２０は、ノックアーム５０、ロータリーソレノイド５１、第１ストッパ５２、第２ストッパ５３、装填部５４及びベース板５５とから構成されている。ノックアーム５０は、装填部５４に装填されたパチンコ球９２を打ち出すために設けられている。このノックアーム５０は、ロータリーソレノイド５１の駆動軸５１ａに固定されており、発射制御装置８０からロータリーソレノイド５１への給電が行われると、ノックアーム５０は図中Ａ方向に回動し、ロータリーソレノイド５１への給電が停止されると、ノックアーム５０は図中Ｂ方向に回動する。
【００２１】
このノックアーム５０は、略へ字状の長片５０ａと、この長片５０ａに対して所定の角度空けて設けられた短片５０ｂとから構成され、長片５０ａの一端部と、短片５０ｂの一端部とがＶ字状に連なるように設けられている。この長片５０ａと短片５０ｂとが連なる箇所に図示しない挿通孔が設けられ、この挿通孔にロータリーソレノイド５１の駆動軸５１ａが固定される。また、長片５０ａの先端部には、ノックアーム５０が図中Ａ方向に回動したときに、装填部５４に装填されたパチンコ球９２を打ち出す略円柱形状の打出杵５０ｃが設けられている。
【００２２】
第１ストッパ５２は、図中Ａ方向に回動するノックアーム５０の短片５０ｂが当接されることで、それ以上の回動を防止するために設けられている。このノックアーム５０が第１ストッパ５２と当接されたときに、ノックアーム５０の長片５０ａに設けられた打出杵５０ｃによって、装填部５４に装填されたパチンコ球が打ち出される。なお、この位置が、打撃位置となる。第２ストッパ５３は、ロータリーソレノイド５１への給電が停止された際に、図中Ｂ方向に回動するノックアーム５０の長片５０ａが当接される。なお、この位置が打撃待機位置となる。
【００２３】
装填部５４は、第１構成部材６０と、第２構成部材６１とから構成され、これら構成部材６０、６１の間隔が、ノックアーム５０の打出杵５０ｃの直径よりも広く、パチンコ球９２の直径よりも狭い幅を空けてベース部材５５に組み付けられている。また、この第１構成部材６０と第２構成部材６１とは、それら部材の間に形成される空間が、ノックアーム５０の打出杵５０ｃの回動軌跡上に位置するようにベース板５５に組み付けられる。これにより、球送込装置７０から送り込まれたパチンコ球９２は、第１構成部材６０と、第２構成部材６１との間においてそれぞれの部材により支えられた保持状態でノックアーム５０の打出杵５０ｃの回動軌跡上にセットされる。なお、以下では、パチンコ球９０が、第１構成部材６０と第２構成部材６１との間においてそれぞれの部材により支えられた保持状態となる位置を装填位置として説明する。
【００２４】
第１構成部材６０は、第２構成部材６１と対面する壁面６０ａに凹部６２が設けられており、この凹部６２は、球送込装置７０から送り込まれたパチンコ球９２を装填位置に向けて送り込むために設けられている。また、装填位置の上方には、装填位置のパチンコ球９２の上に他のパチンコ球９３がセットされていることを検知するため、第１構成部材６０と第２構成部材６１に球詰まりセンサ５６（検知手段）が設けられている。球詰まりセンサ５６は、透過型フォトセンサなどで構成され、外力などの要因で打ち出しに失敗したパチンコ球９３が発射装置２０内に戻り、いわゆる球詰まりが発生していることを検知するものである。球詰まりセンサ５６の検知信号は発射制御装置８０へと出力される。
【００２５】
球送込装置７０は、上述したように、発射装置２０の装填部５４にパチンコ球９０を送り込む装置である。詳細は記載しないが、球送込装置７０は、導入口７１と、送出口７２とを備えており、送込通路３２の下流側端部に位置するパチンコ球９０を導入口７１から球送込装置７０の内部に１球ずつ受け入れた後、発射制御装置８０の制御信号に従って送出口７２から発射装置４５の装填部５４に向けて１球ずつ送り出す。上述したように、球送込装置７０は下部扉５の背面側に組み付けられ、下部扉５を閉じると、球送込装置７０の送出口７２と、発射装置４５に設けられた第１構成部材６０の凹部６２とが対面するように位置する。
【００２６】
この球送込装置７０は、球検知センサ７５を備えている。球検知センサ７５は、例えば投光部と受光部とを備えた透過型フォトセンサが用いられ、パチンコ球９０が送出口７２にあるか否かを検知する。この球検知センサ７５検知信号は、発射制御装置８０に出力される。
【００２７】
発射制御装置８０は、操作ハンドル９の打出し用ボリューム８１、ファールボタン１０、タッチセンサ８２、並びに球検知センサ７５からの出力を受けて、発射装置２０及び球送込装置７０の作動を制御する。発射制御装置８０には、パチンコ球９２の打ち出し強さを制御する強さ制御部８５と、パチンコ球９２を打ち出す時間間隔を制御する間隔制御部８７が設けられており、球検知センサ７５で球送込装置７０に装填されたパチンコ球９０が検知されている間、発射装置２０及び球送込装置７０の駆動制御を繰り返し行う。
【００２８】
強さ制御部８５は、タッチセンサ８２がオンである場合、打出し用ボリューム８１及びファールボタン１０の入力に基づいて、発射装置２０の打ち出し強さＦを設定し、一方、タッチセンサ８２がオフである場合は操作ハンドル９の操作がないものとみなしてＦ＝０と設定する。強さ制御部８５は、ファールボタン１０がオフのまま、打出し用ボリューム８１からの入力があるときは、その入力値に応じてＦ＝Ｆｘとする。また、ファールボタン１０がオンのまま、打出し用ボリューム８１からの入力があるときは、その入力値に関わらず、球詰まりセンサ５６からの入力に応じて、打ち出したパチンコ球をファールとするための所定の２つの打ち出し強さＦａ（第一打ち出し強さ）とＦｂ（第二打ち出し強さ）のうちから適当なほうを選択して設定する。
【００２９】
具体的には、強さ制御部８５は、球詰まりセンサ５６で球詰まりが検出されていないときにはＦ＝Ｆａと設定する。このＦａは、１個のパチンコ球９２が確実にファウル球となるように、例えば、パチンコ球９２を案内経路２６の約半分の高さ（図２のＨａを参照）まで打ち上げる程度の打ち出し強さとする。一方、球詰まりセンサ５６で球詰まりが検出されているときにはＦ＝Ｆｂと決定する。このＦｂは、Ｆａよりも大きく、２個のパチンコ球９２，９３が確実にファウル球となるように、例えば、パチンコ球９２を案内経路２６の遊技領域８ａのぎりぎりの位置（図２のＨｂを参照）まで打ち上げる程度の打ち出し強さとする。なお、Ｆａ，Ｆｂは設計に応じて適宜決定すべきものである。発射制御装置８０は、こうして決定された打ち出し強さＦに応じた電圧でロータリーソレノイド５１に給電する。
【００３０】
一方、間隔制御部８７は、ファールボタン１０がオフのまま、打出し用ボリューム８１からの入力があるときは、打ち出しの時間間隔Ｔを所定の時間間隔Ｔｘに設定する。このＴｘは、打ち出したパチンコ球が、直前に打ち出したパチンコ球と衝突しない程度の時間とする。また、ファールボタン１０がオンのまま、打出し用ボリューム８１からの入力があるときは、強さ制御部８５と同様に、球詰まりの有無に応じて所定の２つの時間間隔Ｔａ（第一打ち出し間隔），Ｔｂ（第二打ち出し間隔）から適当なほうを選択し設定する。ここで、Ｔａ，Ｔｂは、上述した強さＦａ，Ｆｂと各々対応しており、強さＦｂでパチンコ球９２，９３を打ち出す場合は、強さＦａでパチンコ球９２を打ち出す場合よりもファールになるまでの時間を長く確保する必要があることからＴａ＜Ｔｂの関係にある。また、Ｔｘは、通常の打ち出しの時間間隔であるため、ファールになるまでの時間を確保する必要のあるＴａ及びＴｂよりも短い。なお、Ｔｘ，Ｔａ，Ｔｂは何れも設計に応じて適宜決定すべきものである。
【００３１】
このように発射制御装置８０は、球検知センサ７５でパチンコ球９０が検知される限り、強さ制御部８５の制御する打ち出し強さと、間隔制御部８７の制御する打ち出し時間間隔とに基づいて発射装置２０と球送込装置７０を交互に駆動し、ノックアーム５０によるパチンコ球９２，９３の打ち出し、装填部５４へのパチンコ球９０の送り込みが交互に行われる。
【００３２】
発射装置２０から打ち出されたパチンコ球は、図５のように、装填部５４の上方に設けられた送出部材２９を通って案内通路２６へと導かれる。この送出部材２９は、パチンコ球９２，９３が通る程度のサイズで筒状に形成されて上方に向かって延びており、上にいくにしたがってパチンコ機２の右側面に向かい傾斜している。この送出部材２９の内部には通路が形成されており、この通路は案内通路２６に連接している。
【００３３】
また、ファール球回収部材４９は、送出部材２９の上部出口と隣接するように案内通路２６の最下部に設けられている。ファール球回収部材４９は、上面が開口した枠体であって、遊技盤面側の側壁に回収用開口４９ａが形成され、底面がこの回収用開口４９ａに向けて傾斜している。回収用開口４９ａは内部の回収通路４７と連接しており、この回収通路４７は内部払出口２２へと連接している。内部払出口２２は、払出装置から賞球を払い出すための内部側の出口であって、下部扉５の閉塞時に外側の払出口１４と連接する。よって、発射装置２０からファール球として打ち出されたパチンコ球９２，９３は、案内通路２６の途中で鉛直方向に落下して、ファール球回収部材４９に入り払出口１４から受け皿１２へと回収される。
【００３４】
次に本発明の作用効果について説明する。図６のように、発射制御装置２０は、操作ハンドル９のタッチセンサ８２の反応があり（ｓｔ１）、操作ハンドル９の操作がある場合（ｓｔ２）、ファールボタン１０の押下の有無を判定する（ｓｔ３）。このため、遊技者が直接操作ハンドル９を操作しない限り、発射装置２０は作動しない。ファールボタン１０が押下されていないとき、強さ制御部８５は、打ち出し強さＦを打ち出し用ボリューム８１の入力値に応じた値Ｆｘに設定し、一方、間隔制御部８７は、打ち出しの時間間隔Ｔを所定のＴｘに設定する（ｓｔ７）。
【００３５】
また、ファールボタン１０が押下されているとき、発射制御装置２０は、球詰まりの有無に応じて強さＦと時間間隔Ｔを設定する（ｓｔ４）。球詰まりセンサ５６で球詰まりが検出されていない場合、強さ制御部８５は、打ち出し強さＦを所定のＦａに設定し、一方、間隔制御部８７は、打ち出しの時間間隔Ｔを所定のＴａに設定する（ｓｔ６）。また、球詰まりが検出された場合、強さ制御部８５は、打ち出し強さＦを所定のＦｂに設定し、一方、間隔制御部８７は、打ち出しの時間間隔Ｔを所定のＴｂに設定する（ｓｔ５）。
【００３６】
その後、発射制御装置８０は、打ち出し強さＦに応じた電圧でロータリーソレノイド５１へと給電し、パチンコ球９２，９３を打ち出す（ｓｔ８）。打ち出されたパチンコ球９２は、強さＦ＝Ｆｘの場合、案内通路２６を上昇して遊技領域８ａへと到達し、そこを流下する。また、強さＦ＝Ｆａの場合、打ち出されたパチンコ球９２は遊技領域８ａへ達せず、案内通路２６の途中で落下してファール球回収部材４９へと入る。そして、パチンコ球９２は、ファール球回収部材４９の底面が傾斜してるから回収用開口４９ａへと入り回収通路４７を通って内部払出口２２及び払出口１４から受け皿１２へと回収される。強さＦ＝Ｆｂの場合、２個のパチンコ球９２，９３をＦａよりも大きい強さで打ち出すので、２個とも同様に受け皿に回収される。
【００３７】
パチンコ球９２，９３を打ち出した後、発射制御装置８０は、時間間隔Ｔの経過を待つ（ｓｔ９）。これにより、打ち出したパチンコ球９２，９３が遊技領域８ａに到達するか、あるいはファール球として回収されるまで次のパチンコ球の打ち出しを行わないから、パチンコ球９２，９３同士が衝突することはない。
【００３８】
そして、発射制御装置８０は、球検知センサ７５により次のパチンコ球９０が検知されている場合に限り（ｓｔ１０）、球送込装置７０を制御して、パチンコ球９０を発射装置２０の装填位置に送込む（ｓｔ１１）。このように、本発明に係るパチンコ機２では、遊技者は容易にファール球を打ち出して、受け皿１２の送込通路３２に残ったパチンコ球を受け皿１２へと確実に回収することができる。さらに、発射装置２０に複数のパチンコ球９２，９３による球詰まりが発生しているか否かに応じて、打ち出し強さ並びに打ち出しの時間間隔を選択するようにしたから、複数のパチンコ球９２，９３が打ち出された場合であっても確実にファール球として回収することができる。
【００３９】
上述した実施形態では、操作ハンドル９にファール球を発射するためのファールボタン１０を設けたが、例えば受け皿１２の球抜き操作を行うための排出ボタン１１をファールボタンとして兼用することもできる。以下に、この第二の実施形態について説明する。
【００４０】
図７のように、受け皿１２は、払出口１４の前方に形成された第一底面１２ａと、第一底面１２ａと隣接し、排出口１８と送込み通路３２が形成された第二底面１２ｂと、これらの前面側に設けられた周壁１２ｃとからなる。第一底面１２ａは、払出口１４から第二底面１２ｂに向かって緩やかなカーブを描くように傾斜し、両端側（図中、第一底面１２ａ内の点線の外側部分）が中央よりも高く盛り上がるように形成されている。第二底面１２ｂは、第一底面１２ａの最低部と連接し、本体基部３側の送込み通路３２に向かって傾斜している。送込み通路３２は、最奥部に送込み装置７０の導入口７１が開口されており、この導入口７１にパチンコ球３５が順次入るように奥に向かって傾斜している。
【００４１】
排出口１８は、送込み通路３２の手前の導入路の幅にほぼ収まるように形成されており、受け皿１２の底面の裏側に配設されたシャッタ３１により開閉自在となっている。シャッタ３１は、同じく受け皿１２の底面に設けられたシャッタ用ソレノイド３０（駆動手段）によって駆動される。シャッタ３１が開いているとき、払出口１４から払い出されたパチンコ球３４は、受け皿１２が上述したような傾斜面を有することから、第一底面１２ａ内を転がって第二底面１２ｂの排出口１８から落下する（図中、矢印Ｒを参照）。また、受け皿１２に多くのパチンコ球が貯留されているときにシャッタ３１が開くと、送込み通路３２にあるパチンコ球３５を残し、全てのパチンコ球は排出口１８から排出される。
【００４２】
また、排出口１８の高さ位置には、排出口１８付近のパチンコ球３４を検知するために、分離型フォトセンサなどで構成した残留球検知センサ３３が設けられている。残留球検知センサ３３の検知信号は、後述するシャッタ駆動部８９に出力される。
【００４３】
シャッタ３１は、通常はバネなどの付勢手段により排出口１８を閉じる閉じ位置となっているが、シャッタ駆動部８９からシャッタ用ソレノイド３０に給電されると排出口１８を開放する開き位置に移動する。シャッタ駆動部８９は、排出ボタン１１と電気的に接続され、前面の排出ボタン１１が押下されたことを契機としてシャッタ用ソレノイド３０に給電してシャッタ３１を開き位置とする。また、シャッタ駆動部８９は、上述した球検知センサ７５並びに残留球検知センサ３３と電気的に接続されており、球検知センサ７５及び残留球検知センサ３３でパチンコ球９０，３４が検知されなくなるとシャッタ３１を閉じ位置とする。
【００４４】
発射制御装置８０は、強さ制御部８５及び間隔制御部８７と自動打ち出し制御部８８が設けられており、排出ボタン１１（予備発射操作部）と電気的に接続されている。強さ制御部８５は、排出ボタン１１の押下時に打ち出し強さをＦａ又はＦｂに設定する以外は上述した内容と同じである。また、間隔制御部８７も、排出ボタン１１の押下時に打ち出しの時間間隔をＴａ又はＴｂに設定する以外は上述した内容と同じである。自動打ち出し制御部８８は、排出ボタン１１が押下されると操作ハンドル９からの入力を無効化し、球検知センサ７５でパチンコ球９０が検知されなくなるまで自動でファール球の発射を行う。
【００４５】
次に第二の実施形態の作用効果を説明する。自動打ち出し制御部８８は、図８のように、排出ボタン１１が押下されると（ｓｔ１）、打ち出されたパチンコ球が遊技領域８ａに達しないように操作ハンドル９からの入力を無効化する（ｓｔ２）。そして、上述した実施形態と同様に、強さ制御部８５及び間隔制御部８７は、球詰まりセンサ５６の検知信号の有無に応じて強さＦと時間間隔Ｔの設定を行う（ｓｔ３〜５）。そして、パチンコ球９２，９３を打ち出し後、時間間隔Ｔの経過を待って次のパチンコ球の送込みを行い、再びパチンコ球９２，９３の打ち出しを行う（ｓｔ７〜９）。これによって、遊技者の手を煩わせることなく、受け皿１２の球送込み通路３２などに残ったパチンコ球３５を自動的にファール球として受け皿１２に戻し、開いた状態の排出口１８から下方の球貯留箱１９へ回収できる。また、球検知センサ７５によりパチンコ球９０が検知されない場合は、操作ハンドル９からの無効化を解除する。
【００４６】
一方、図９のように、シャッタ制御部８９は、排出ボタン１１が押下されると（ｓｔ１１）、シャッタ用ソレノイド３０に給電してシャッタ３１を開き位置にする（ｓｔ１２）。これにより、受け皿１２内のパチンコ球３４は、排出口１８から落下して球貯留箱１９へ回収される。シャッタ制御部８９は、残留球検知センサ３３によって排出口１８付近にパチンコ球３４が検知されず（ｓｔ１３）、かつ、球検知センサ７５によって球送込装置７０内のパチンコ球９０が検知されない場合（ｓｔ１４）、ソレノイド３０の給電を停止してシャッタ３１を閉じ位置にする（ｓｔ１５）。このため、残ったパチンコ球３５が全てファール球として受け皿１２に戻り、排出口１８から球貯留箱１９へ回収されるまでの間、シャッタ３１は開き位置のままとなる。このように、受け皿１２の球抜きと同時に送込み通路３２に残ったパチンコ球３５をも好適に回収することができる。
【００４７】
上述した先の実施形態において、操作ハンドル９の形状を図３に示すような形状としたが、これに限られるものではなく、例えばスライドレバーや飛行機の操縦かんのような形状を採用することもできる。このとき、ファールボタン１０は、遊技者が押下しやすい位置であれば何処に設けてもよい。なお、排出ボタン１１の位置についても、図１に示す位置に限られず、例えば受け皿１２の前面や側面などに設けることもできる。なお、球詰まりの検知方法について、上述した実施形態のような方法に限られず、例えば発射装置に装填されたパチンコ球の重さを重量センサなどで測定することで、球詰まりを検知することもできる。
【図面の簡単な説明】
【００４８】
【図１】本発明のパチンコ機（扉閉塞時）を示す斜視図である。
【図２】本発明のパチンコ機（扉開放時）を示す斜視図である。
【図３】操作ハンドルの正面図である。
【図４】パチンコ球の発射機構である。
【図５】ファール球の回収機構である。
【図６】第一の実施形態の発射制御装置の処理フローである。
【図７】球抜き機構である。
【図８】第二の実施形態の発射制御装置の処理フローである。
【図９】シャッタ駆動部の処理フローである。
【符号の説明】
【００４９】
２  パチンコ機
９  操作ハンドル
１０  ファールボタン
１１  排出ボタン
１２  受け皿
１８  排出口
２０  発射装置
３１  シャッタ
３３  残留球検知センサ
４９  ファール球回収部材
５６  球詰まりセンサ
７０  球送込装置
８０  発射制御装置
８５  強さ制御部
８７  間隔制御部
８８  自動打ち出し制御部
８９  シャッタ駆動部
【図１】
2009050642.tif 000003
【図２】
2009050642.tif 000004
【図３】
2009050642.tif 000005
【図４】
2009050642.tif 000006
【図５】
2009050642.tif 000007
【図６】
2009050642.tif 000008
【図７】
2009050642.tif 000009
【図８】
2009050642.tif 000010
【図９】
2009050642.tif 000011